(57)【要約】【課題】第１のネットワーク上の第１のディジタル放送データを、第２のディジタル放送データに変換して、第２のネットワーク上に伝送するディジタル放送データの伝送装置において、置換え先の第２のディジタル放送用ＮＩＴ（ＮｅｔｗｏｒｋＩｎｆｏｒｍａｔｉｏｎ　Ｔａｂｌｅ）のデータ量が、置換元の第１のディジタル放送用ＮＩＴのデータ量よりも大きくても、ＮＩＴの置換えが行えるようにする。【解決手段】ＴＳパケット１を置換えできないＴＳパケット２の部分は、伝送入力されるＴＳパケットの中から検出されたＮＵＬＬパケットを用いて置換える。【選択図】　　　　図３
2004056214.tif 000002
【特許請求の範囲】
【請求項１】
第１のネットワーク上の第１のディジタル放送データを、第２のディジタル放送データに変換して、第２のネットワーク上に伝送するディジタル放送データの伝送装置であって、
前記第１及び第２のディジタル放送データは、それぞれ一連のＴＳ（Ｔｒａｎｓｐｏｒｔ
Ｓｔｒｅａｍ）パケットにより伝送されるものであり、
第１のネットワークから入力されるＴＳパケットには、第１のディジタル放送用ＮＩＴ（Ｎｅｔｗｏｒｋ　Ｉｎｆｏｒｍａｔｉｏｎ　Ｔａｂｌｅ）を含むＴＳパケットが存在し、当該ＮＩＴを含むＴＳパケットは、１つのＮＩＴに対応する先頭パケットを含む１又は複数のＴＳパケットにより構成され、
第１のネットワークから入力されるＴＳパケットの中から、ＮＩＴが含まれるＴＳパケットを抽出する抽出手段と、
ＮＩＴが含まれるＴＳパケットの中から、ＮＩＴの先頭データを含む先頭パケットを抽出する先頭パケット抽出手段と、
第１のディジタル放送用ＮＩＴを含むＴＳパケットを変換情報に従って第２のディジタル放送用に変換する変換手段と、
第１のネットワークから入力されるＴＳパケットの中から、ＮＵＬＬパケットを検出する検出手段と、
抽出手段によりＮＩＴが含まれる先頭パケットが抽出された場合、この先頭パケットから置換えを開始し、続いて抽出手段により抽出されたＮＩＴが含まれるパケット及び検出手段により検出されたＮＵＬＬパケットに対して、第２のディジタル放送用ＮＩＴを置換えていくＮＩＴ置換手段とを備えることを特徴とするディジタル放送データの伝送装置。
【請求項２】
第１のディジタル放送用ＮＩＴを含むＴＳパケットの数と、ＮＵＬＬパケットの数と、第２のディジタル放送用ＮＩＴを含むＴＳパケットの数とをカウントする計数手段をさらに備え、
（第１のディジタル放送用ＮＩＴを含むＴＳパケットの数）
＋（ＮＵＬＬパケットの数）
＜（第２のディジタル放送用ＮＩＴを含むＴＳパケットの数）
であると判定された場合に、ＮＩＴ置換手段は、次の先頭パケットを無視して置換えを続行する請求項１記載のディジタル放送データの伝送装置。
【請求項３】
第１のネットワーク上の第１のディジタル放送データを、第２のディジタル放送データに変換して、第２のネットワーク上に伝送するディジタル放送データの伝送装置であって、
前記第１及び第２のディジタル放送データは、それぞれ一連のＴＳ（Ｔｒａｎｓｐｏｒｔ
Ｓｔｒｅａｍ）パケットにより伝送されるものであり、
第１のネットワークから入力されるＴＳパケットには、第１のディジタル放送用ＮＩＴ（Ｎｅｔｗｏｒｋ　Ｉｎｆｏｒｍａｔｉｏｎ　Ｔａｂｌｅ）を含むＴＳパケットが存在し、当該ＮＩＴを含むＴＳパケットは、１つのＮＩＴに対応する先頭パケットを含む１又は複数のＴＳパケットにより構成され、
第１のネットワークから入力されるＴＳパケットの中から、ＮＩＴが含まれるＴＳパケットを抽出する抽出手段と、
第１のディジタル放送用ＮＩＴを含むＴＳパケットを変換情報に従って第２のディジタル放送用に変換する変換手段と、
第１のネットワークから入力されるＴＳパケットの中から、ＮＵＬＬパケットを検出する検出手段と、
抽出手段により抽出されたＮＩＴが含まれるパケットをＮＵＬＬパケットに置換えるＮＵＬＬ置換手段と、
検出手段により検出されたＮＵＬＬパケット及びＮＵＬＬ置換手段により置換えられたＮＵＬＬパケットに対して、第２のディジタル放送用ＮＩＴを置換えていくＮＩＴ置換手段とを備えることを特徴とするディジタル放送データの伝送装置。
【請求項４】
第１のネットワーク上の第１のディジタル放送データを、第２のディジタル放送データに変換して、第２のネットワーク上に伝送するディジタル放送データの伝送装置であって、
前記第１及び第２のディジタル放送データは、それぞれ一連のＴＳ（ＴｒａｎｓｐｏｒｔＳｔｒｅａｍ）パケットにより伝送されるものであり、
第１のネットワークから入力されるＴＳパケットには、第１のディジタル放送用ＮＩＴ（Ｎｅｔｗｏｒｋ　Ｉｎｆｏｒｍａｔｉｏｎ　Ｔａｂｌｅ）を含むＴＳパケットが存在し、当該ＮＩＴを含むＴＳパケットは、１つのＮＩＴに対応する先頭パケットを含む１又は複数のＴＳパケットにより構成され、
第１のネットワークから入力されるＴＳパケットの中から、ＮＩＴが含まれるＴＳパケットを抽出する抽出手段と、
第１のディジタル放送用ＮＩＴを含むＴＳパケットを変換情報に従って第２のディジタル放送用に変換する変換手段と、
第１のネットワークから入力されるＴＳパケットの中から、ＮＵＬＬパケットを検出する検出手段と、
抽出手段により抽出されたＮＩＴが含まれるパケット及び検出手段により検出されたＮＵＬＬパケットに対して、第２のディジタル放送用ＮＩＴを置換えていくＮＩＴ置換手段とを備えることを特徴とするディジタル放送データの伝送装置。
【請求項５】
前記変換手段で変換される第２のディジタル放送用ＮＩＴを含むＴＳパケットを蓄積するメモリをさらに備え、
前記ＮＩＴ置換手段は、所定のＮＩＴ周期で、このメモリを読み出し、第２のディジタル放送用ＮＩＴを含むパケットに置換えするものである請求項３又は請求項４記載のディジタル放送データの伝送装置。
【発明の詳細な説明】
【０００１】
【発明の属する技術分野】
本発明は、あるネットワークで配信されたディジタル放送番組を編集して、他のネットワークで配信する際に使用されるディジタル放送データの伝送装置に関するものである。
【０００２】
【従来の技術】
衛星ディジタル放送などのディジタル放送番組を、ケーブルテレビ事業者が自施設内のネットワークを利用して２次配信するサービスが行われている。
ディジタル放送番組データは、ＭＰＥＧ２方式で圧縮符号化されている。この番組データを伝送する場合、番組データをブロックごとにパケット化し、その結果得られるパケット列を送信する。このパケットをＴＳ（Ｔｒａｎｓｐｏｒｔ　Ｓｔｒｅａｍ）パケットといい、ＴＳパケットで構成されたパケット列をトランスポートストリームという。
【０００３】
一つの番組を符号化して得られる一連のＴＳパケットでは、一つの番組しか伝送できない。複数の番組を同時に提供するためには、各番組から得られるＴＳパケットを時分割多重によって、１つのトランスポートストリームにまとめてから伝送する。
一般的なＴＳパケットの構造を図８に示す。ＴＳパケットは１８８バイトの固定長となっており、先頭の４バイトがヘッダ部を、残りの１８４バイトがデータ部を構成する。
【０００４】
ヘッダ部の中のＰＩＤ（Ｐａｃｋｅｔ　Ｉｄｅｎｔｉｆｉｅｒ）は、パケットに格納されているデータの内容を示す識別子である。
データ部には、主として、次の４種類のデータが格納される。
（１）ＥＳ（Ｅｌｅｍｅｎｔａｒｙ　Ｓｔｒｅａｍ）　　映像データや音声データ
（２）ＰＳＩ（Ｐｒｏｇｒａｍ　Ｓｐｅｃｉｆｉｃ　Ｉｎｆｏｒｍａｔｉｏｎ）　　　伝送制御に関する付加情　　報
（３）ＳＩ（Ｓｅｒｖｉｃｅ　Ｉｎｆｏｒｍａｔｉｏｎ）　　番組提供に関する付加情報
（４）ＮＵＬＬ　データとして特に意味を持たない空白。継続的な伝送動作　　を維持するために、伝送すべきデータがないときはＮＵＬＬパケット　　　を伝送する。
【０００５】
前記ＰＳＩの中には、ＮＩＴ（Ｎｅｔｗｏｒｋ　Ｉｎｆｏｒｍａｔｉｏｎ　Ｔａｂｌｅ）が含まれる。このＮＩＴは、伝送キャリアの周波数や変調方式等、伝送路に関する物理的な情報を含むテーブルである（その構成は、特開平１１−１５０７１７号公報参照）。
ＮＩＴのデータと、ＴＳパケットとの関係を示した図が、図９である。１連のＮＩＴのデータは、複数に分割され、それぞれにＴＰヘッダがついてＴＳパケットが構成される。これらのＴＳパケットは、時間の隙間なしで続けて伝送されるとは限らない。ＴＳパケット同士の間に他の種類のＴＳパケットが挿入されることが多い。また、これらのＴＳパケットにより、ＮＩＴのデータが一度送られると、一定のＮＩＴ周期をおいて、同じＴＳパケットにより、同じＮＩＴのデータが送られる。すなわちＮＩＴのデータは、一定のＮＩＴ周期（例えば１０秒）で繰り返し伝送される。以下、この一ＮＩＴ周期におけるＮＩＴパケット数を、省略して単に「パケット数」ということがある。
【０００６】
ＮＩＴのデータの先頭部分を含むＴＳパケットを「先頭パケット」という。なお、先頭ＴＳパケットのデータ部の最初からＮＩＴのデータが始まらない場合があり、この場合は、データ部の中に、ＮＩＴの始まり位置を示すポインタが入る。また、ＮＩＴの最終の分割単位をデータ部に入れても、データ部が余ってしまう場合があるが、この場合は、最後までゼロデータ（０ｘｆｆ）で埋める。
ＮＩＴのデータを含むＴＳパケットのうち、先頭ＴＳパケットと、そうでないＴＳパケットとの区別は、図１０に示すように、ＴＰヘッダの中の「ペイロード開始ユニットインジケータ」が１か０かチェックして行う。
【０００７】
【発明が解決しようとする課題】
衛星ディジタル放送を、もとのディジタル放送データのＮＩＴをＮＩＴ１といい、２次配信するネットワークに適したディジタル放送データのＮＩＴをＮＩＴ２という。
ケーブルテレビ事業者等が自施設内のネットワークを利用してディジタル放送データを２次配信するサービスにおいて、従来の技術では、衛星放送用ＮＩＴを含むＴＳパケットを、同じパケット数の、ＣＡＴＶ用ＮＩＴを含むＴＳパケットで置換えしている。このため、置換えしようとするＣＡＴＶ用ＮＩＴのサイズが元のＮＩＴのサイズよりも大きな場合に（このようなことは、ケーブルテレビ事業者が独自番組を追加したときなどに起こる）、置換えできなくなる。
【０００８】
また、１つのＮＩＴデータを送るＮＩＴ周期がある。従来の技術では、衛星放送用ＮＩＴと同じＮＩＴ周期でしかＣＡＴＶ用ＮＩＴを出力できない。
そこで、本発明は、置換え先の第２のディジタル放送用ＮＩＴのデータ量が、置換元の第１のディジタル放送用ＮＩＴのデータ量よりも大きくても、ＮＩＴの置換えを行うことができるディジタル放送データの伝送装置を実現することを目的とする。
【０００９】
また本発明は、第２のディジタル放送用ＮＩＴの出力ＮＩＴ周期を、第２のネットワークに適したＮＩＴ周期に自由に変更できるディジタル放送データの伝送装置を実現することを目的とする。
【００１０】
【課題を解決するための手段】
（１）本発明のディジタル放送データの伝送装置は、第１のネットワークから入力されるＴＳパケットの中から、ＮＩＴが含まれるＴＳパケットを抽出する抽出手段と、ＮＩＴが含まれるＴＳパケットの中から、ＮＩＴの先頭データを含む先頭パケットを抽出する先頭パケット抽出手段と、第１のディジタル放送用ＮＩＴを含むＴＳパケットを変換情報に従って第２のディジタル放送用に変換する変換手段と、第１のネットワークから入力されるＴＳパケットの中から、ＮＵＬＬパケットを検出する検出手段と、抽出手段によりＮＩＴが含まれる先頭パケットが抽出された場合、この先頭パケットから置換えを開始し、続いて抽出手段により抽出されたＮＩＴが含まれるパケット及び検出手段により検出されたＮＵＬＬパケットに対して、第２のディジタル放送用ＮＩＴを置換えていくＮＩＴ置換手段とを備えるものである（請求項１）。
【００１１】
前記の構成によれば、第２のディジタル放送用ＮＩＴを含むＴＳパケット（以下「ＴＳパケット２」という）のパケット数が、もとの第１のディジタル放送用ＮＩＴを含むＴＳパケット（以下「ＴＳパケット１」という）のパケット数よりも多い場合、ＴＳパケット１を置換えできないＴＳパケット２の部分は、入力されるＴＳパケットの中から検出されたＮＵＬＬパケットを用いて置換えることができる。
【００１２】
したがって、第２のディジタル放送用ＮＩＴのデータ量が、第１のディジタル放送用ＮＩＴのデータ量よりも大きくても、ＮＩＴの置換えを行うことができる。
前記ディジタル放送データの伝送装置において、第１のディジタル放送用ＮＩＴを含むＴＳパケットの数と、ＮＵＬＬパケットの数と、第２のディジタル放送用ＮＩＴを含むＴＳパケットの数とをカウントする計数手段をさらに備え、
（第１のディジタル放送用ＮＩＴを含むＴＳパケットの数）
＋（ＮＵＬＬパケットの数）
＜（第２のディジタル放送用ＮＩＴを含むＴＳパケットの数）
であると判定された場合に、ＮＩＴ置換手段は、次の先頭パケットを無視して置換えを続行するようにしてもよい（請求項２）。
【００１３】
これによって、第２のディジタル放送用ＮＩＴのデータが、第１のディジタル放送用ＮＩＴのデータと比べて極端に増加しても（前記式の不等号が満たされる場合）、ＮＩＴの置換えが行える。ただし、第２のディジタル放送用ＮＩＴを伝送するＮＩＴ周期を、第１のディジタル放送用ＮＩＴを伝送するＮＩＴ周期に同期させることはできなくなる。
なお、前記式の不等号が満たされない場合（≧の場合）は、常に、抽出手段により抽出された先頭パケットから置換えを開始することができるので、第２のディジタル放送用ＮＩＴを伝送するＮＩＴ周期を、第１のディジタル放送用ＮＩＴを伝送するＮＩＴ周期に同期させることができる。
【００１４】
（２）本発明のディジタル放送データの伝送装置は、第１のネットワークから入力されるＴＳパケットの中から、ＮＩＴが含まれるＴＳパケットを抽出する抽出手段と、第１のディジタル放送用ＮＩＴを含むＴＳパケットを変換情報に従って第２のディジタル放送用に変換する変換手段と、第１のネットワークから入力されるＴＳパケットの中から、ＮＵＬＬパケットを検出する検出手段と、抽出手段により抽出されたＮＩＴが含まれるパケットをＮＵＬＬパケットに置換えるＮＵＬＬ置換手段と、検出手段により検出されたＮＵＬＬパケット及びＮＵＬＬ置換手段により置換えられたＮＵＬＬパケットに対して、第２のディジタル放送用ＮＩＴを置換えていくＮＩＴ置換手段とを備えるものである（請求項３）。
【００１５】
本発明によれば、第１のネットワークから入力されるＴＳパケットの中から、ＮＩＴが含まれるＴＳパケットとＮＵＬＬパケットとを抽出し、これらをすべてＮＵＬＬパケットに置換えし、これらのＮＵＬＬパケットに対して、第２のディジタル放送用ＮＩＴを置換えていく、という手順をとる。
第２のディジタル放送用ＮＩＴのＮＩＴ周期を、第１のディジタル放送用ＮＩＴのＮＩＴ周期とは、無関係に設定することができる。したがって、第２のディジタル放送用ＮＩＴの出力ＮＩＴ周期を第２のネットワークに適したＮＩＴ周期に自由に変更できる。
【００１６】
前記構成では、第１のネットワークから入力されるＴＳパケットの中から、ＮＩＴが含まれるＴＳパケットとＮＵＬＬパケットとを抽出し、これらをすべてＮＵＬＬパケットに置換えしていたが、このような置換えはせずに、直接、抽出手段により抽出されたＮＩＴが含まれるパケット及び検出手段により検出されたＮＵＬＬパケットに対して、第２のディジタル放送用ＮＩＴを置換えていってもよい（請求項４）。
【００１７】
前記変換手段で変換される第２のディジタル放送用ＮＩＴを含むＴＳパケットをメモリに蓄積しておき、前記ＮＩＴ置換手段は、第２のディジタル放送用ＮＩＴの出力ＮＩＴ周期で、このメモリを読み出し、第２のディジタル放送用ＮＩＴを含むパケットに置換えするようにしてもよい（請求項５）。
このようなメモリを設けておけば、放送事故などで第１のディジタル放送用ＮＩＴの送出が停止されたときでも、第２のディジタル放送用ＮＩＴの出力を維持することができる。
【００１８】
【発明の実施の形態】
以下、通信衛星のトランスポンダより送られてくるディジタル放送信号の伝送周波数や変調方式等を変更して、ＣＡＴＶ用のディジタル放送信号を生成して送出する場合の、本発明の実施の形態を、添付図面を参照しながら詳細に説明する。
―第１の実施形態―
図１は、本発明の第１の実施形態に係るディジタル放送データの伝送装置１の概略構成図である。
【００１９】
この伝送装置１は、衛星ディジタル放送信号を復調するデコーダから順次得られるＭＰＥＧ２規格のＴＳパケット１のうち、ＮＩＴを含むパケット（以下「ＮＩＴパケット」という）を、ＣＡＴＶ用のＮＩＴパケットに置換えるＮＩＴ置換部２を有している。
さらにこの伝送装置１は、順次得られるＴＳパケット１の中からＮＩＴパケットを抽出するＮＩＴパケット抽出回路３、抽出されたＮＩＴを記憶するＮＩＴバッファ４、及びＮＩＴを変換情報に従ってＣＡＴＶ放送用に適合するように変換するＣＡＴＶ用ＮＩＴ変換部５を有している。ＣＡＴＶ用ＮＩＴ変換部５は、（一ＮＩＴ周期における）ＣＡＴＶ用ＮＩＴパケット数の情報を、制御部７に通知する。
【００２０】
前記ＮＩＴパケット抽出回路３は、ＮＩＴパケットを抽出した時に、そのことをＮＩＴ置換部２に通知する（ＮＩＴパケット通知）。
また、ＮＩＴパケット抽出回路３は、先頭のＮＩＴパケットを抽出した時に、そのことを制御部７に通知する。
さらに、この伝送装置１は、ＮＵＬＬを含むパケット（「ＮＵＬＬパケット」という）を検出するＮＵＬＬパケット検出回路６を有している。ＮＵＬＬパケット検出回路６は、ＮＵＬＬパケットを検出した時に、そのことをＮＩＴ置換部２に通知する（ＮＵＬＬ通知）。
【００２１】
さらに伝送装置１は、ＮＵＬＬ通知とＮＩＴパケット通知とに基づいて、ＣＡＴＶ用ＮＩＴパケットへ置き換え可能なパケットをカウントする衛星放送用ＮＩＴ／ＮＵＬＬパケットカウンタ８を備えている。
さらに伝送装置１は、制御部７を有している。この制御部７は、衛星放送用ＮＩＴ／ＮＵＬＬパケットカウンタ８のパケット数カウント値が、ＣＡＴＶ用ＮＩＴ変換部５から通知されたＣＡＴＶ用ＮＩＴパケット数を超えた時点以後、ＮＩＴパケット抽出回路３よりＮＩＴ先頭パケット通知が入力された場合、ＮＩＴ先頭パケット通知をＮＩＴ置換部２にそのまま出力する。制御部７は、ＮＩＴ先頭パケット通知をＮＩＴ置換部２に出力すれば、衛星放送用ＮＩＴ／ＮＵＬＬパケットカウンタ８のカウント値をリセットする。
【００２２】
制御部７は、衛星放送用ＮＩＴ／ＮＵＬＬパケットカウンタ８のパケット数カウント値が、ＣＡＴＶ用ＮＩＴ変換部５から通知されたＣＡＴＶ用ＮＩＴパケット数を超えない時点で、ＮＩＴパケット抽出回路３よりＮＩＴ先頭パケット通知が入力された場合、ＮＩＴ置換部２にＮＩＴ先頭パケット通知を出力せず、０を出力する。
ＮＩＴ置換部２は、順次得られるＴＳパケット１の中のＮＩＴパケット及びＮＵＬＬパケットに対象にして、ＮＩＴ先頭パケット通知を受けた時点で、ＣＡＴＶ用ＮＩＴ変換部５において変換されたＣＡＴＶ用ＮＩＴの先頭パケットから順次置換えしていく。
【００２３】
前記各部２，５，７の機能の全部又は一部は、ＣＤ−ＲＯＭやハードディスクなど所定の媒体に記録されたプログラムを、伝送装置１のコンピュータが実行することにより実現される。
以下、伝送装置１の動作を説明する。
＜動作１．１（ＣＡＴＶ用ＮＩＴが衛星放送用ＮＩＴよりもパケット数が少ない場合）＞
図２は、ＣＡＴＶ用ＮＩＴが衛星放送用ＮＩＴよりも一ＮＩＴ周期におけるパケット数が小さい場合のＮＩＴパケットの置き換え動作を説明するためのシーケンス図である。上段（ａ）は、衛星からの入力ＴＳパケット列を示し、下段（ｂ）は、ＣＡＴＶへの出力ＴＳパケット列を示す。
【００２４】
ＮＩＴ置換部２は、衛星放送用ＮＩＴの先頭パケットから、ＣＡＴＶ用ＮＩＴの先頭パケットへ置換えを開始する。置換えして余った衛星放送用ＮＩＴパケットは、ＮＵＬＬパケットに置換えて出力する。
＜動作１．２（ＣＡＴＶ用ＮＩＴが衛星放送用ＮＩＴよりもパケット数が多い場合）＞
図３は、ＣＡＴＶ用ＮＩＴが衛星放送用ＮＩＴよりもパケット数が多い場合のＮＩＴの置き換え動作を説明するためのシーケンス図である。上段（ａ）は、衛星からの入力ＴＳパケット列を示し、下段（ｂ）は、ＣＡＴＶへの出力ＴＳパケット列を示す。
【００２５】
ＮＩＴ置換部２は、衛星放送用ＮＩＴの先頭パケットから、ＣＡＴＶ用ＮＩＴの先頭パケットへ置換えを開始する。衛星からの入力ＴＳパケット列に含まれるＮＵＬＬパケットは、ＣＡＴＶ用ＮＩＴパケットに置換えて出力する。
＜動作１．３（ＣＡＴＶ用ＮＩＴが衛星放送用ＮＩＴよりもパケット数が極端に多い場合）＞
図４は、ＣＡＴＶ用ＮＩＴが衛星放送用ＮＩＴよりもデータ量が極端に大きい場合のＮＩＴの置き換え動作を説明するためのシーケンス図である。上段（ａ）は、衛星からの入力ＴＳパケット列を示し、下段（ｂ）は、ＣＡＴＶへの出力ＴＳパケット列を示す。
【００２６】
ＮＩＴ置換部２は、衛星放送用ＮＩＴの先頭パケットから、ＣＡＴＶ用ＮＩＴの先頭パケットへ置換えを開始する。衛星からの入力ＴＳパケット列に含まれるＮＵＬＬパケットも、ＣＡＴＶ用ＮＩＴパケットに置換えられる。
ところが、先頭から一ＮＩＴ周期分の衛星放送用ＮＩＴパケットが入力されて、全部ＣＡＴＶ用ＮＩＴパケットに置換えても、ＣＡＴＶ用ＮＩＴが残る場合は、次の衛星放送用ＮＩＴの先頭パケットが来ても、先頭パケットであることを無視して、残りのＣＡＴＶ用ＮＩＴパケットで置換えていく。それ以後、ＣＡＴＶ用ＮＩＴパケットにすべて置換えた時点で、次の衛星放送用ＮＩＴの先頭パケットを待つ。
【００２７】
したがって、衛星放送用ＮＩＴのＮＩＴ周期が１つ又はそれ以上、飛ばされることになる。
―第２の実施形態―
図５は、本発明の第２の実施形態に係るディジタル放送データの伝送装置１の概略構成図である。
この伝送装置１は、デコーダにより順次得られるＴＳパケットの中からＮＩＴパケットを抽出するＮＩＴパケット抽出回路３、抽出されたＮＩＴを記憶するＮＩＴバッファ４、変換情報に従ってＣＡＴＶ放送用に適合したＮＩＴを変換するＣＡＴＶ用ＮＩＴ変換部５、ＮＵＬＬパケット検出回路６、及びＮＩＴ置換部２を有している。
【００２８】
さらにこの伝送装置１は、入力されるＴＳパケットの中のＮＩＴパケットを、ＮＵＬＬパケットに置換えるＮＵＬＬ置換回路１１を有している。
さらに、この伝送装置１は、ＮＩＴ周期検出回路１２、制御部１３、切換え回路１４及びメモリ１５を有している。
ＮＩＴ周期検出回路１２は、衛星ディジタル放送信号を復調するデコーダから順次得られるＮＩＴパケットに基づいて、ＮＩＴ周期を検出する。
【００２９】
切換え回路１４は、出力するＣＡＴＶ用ＮＩＴの周期を、ＣＡＴＶ独自の周期に設定するか、衛星ディジタル放送信号の周期に設定するかを切り換える。
制御部１３は、設定されたＮＩＴ周期に基づいて、衛星用ＮＩＴパケットをＣＡＴＶ用ＮＩＴパケットで置換えするタイミングを設定する。
メモリ１５は、ＣＡＴＶ用ＮＩＴ変換部５で変換されたＣＡＴＶ用ＮＩＴパケットを格納する。後述するように、衛星用ＮＩＴパケットの周期とは独立した周期で、ＣＡＴＶ用ＮＩＴパケットを出力できるので、何かの故障で衛星用ＮＩＴパケットの入力が停止した場合でも、ＣＡＴＶ用ＮＩＴパケットを出力でき、ＣＡＴＶ放送を続けることができる。
【００３０】
＜動作２．１（ＣＡＴＶ用ＮＩＴが衛星放送用ＮＩＴよりもデータ量が小さい場合）＞
図６は、衛星放送用ＮＩＴパケットを全部ＮＵＬＬパケットに書き換えて、それからＣＡＴＶ用ＮＩＴパケットの内容を書き込む動作を説明するためのシーケンス図である。上段（ａ）は、衛星からの入力ＴＳパケット列を示し、中段（ｂ）は、ＮＵＬＬ置換回路１１から出力される、ＮＩＴパケットを全部ＮＵＬＬパケットで上書きしたＴＳパケット列を示し、下段（ｃ）は、ＣＡＴＶへの出力ＴＳパケット列を示す。
【００３１】
ＮＩＴパケット抽出回路３は、入力されるＴＳパケットの中からＮＩＴパケットを抽出すると、そのことをＮＵＬＬ置換回路に通知する。ＮＵＬＬ置換回路は、ＮＩＴパケットをＮＵＬＬパケットで上書きする。
上書きされたＮＵＬＬパケットと、元からのＮＵＬＬパケットとは、ＮＵＬＬパケット検出回路６により検出され、ＮＵＬＬパケット検出回路６は、ＮＵＬＬパケットを検出した時に、そのことをＮＩＴ置換部２に通知する。
【００３２】
一方、制御部１３は、切換え回路１４の設定に応じた周期で、ＮＩＴ置換部２にトリガ信号を入力する。例えばＣＡＴＶ独自の周期に設定されているときは、ＣＡＴＶ独自のＮＩＴ周期の先頭タイミングでトリガ信号を入力する。
ＮＩＴ置換部２は、ＮＩＴ周期の先頭タイミングから、ＮＵＬＬパケットをＣＡＴＶ用ＮＩＴのパケットへ置換し始める。
このように、元の衛星放送網のＮＩＴ周期にこだわることなく、ＣＡＴＶ網に適したＮＩＴの出力周期を任意に設定できる。
【００３３】
以上説明した第２の実施形態の伝送装置１は、衛星放送用ＮＩＴパケットをＮＵＬＬパケットで上書きしてから、ＣＡＴＶ用ＮＩＴのパケットへ置換していたが、衛星放送用ＮＩＴパケットを直接、ＣＡＴＶ用ＮＩＴのパケットへ置換することもできる。
図７は、このような衛星放送用ＮＩＴパケットを直接、ＣＡＴＶ用ＮＩＴのパケットへ置換する伝送装置１の構成図である。図５の構成と比べて、ＮＵＬＬ置換回路１１が省かれ、ＮＩＴパケット抽出回路３のＮＩＴパケット通知信号が、直接ＮＩＴ置換部２に入力されている。
【００３４】
書き換え動作は、図６において、中段（ｂ）を省いたものとなる。
【００３５】
【発明の効果】
以上のように本発明によれば、置換先の第２のディジタル放送用ＮＩＴのデータ量が、置換元の第１のディジタル放送用ＮＩＴのデータ量よりも大きくても、ＮＩＴの置換を行うことができる。
また本発明によれば、第２のディジタル放送用ＮＩＴの出力ＮＩＴ周期を、第２のネットワークに適したＮＩＴ周期に自由に設定することができる。
【図面の簡単な説明】
【図１】本発明の第１の実施形態に係るディジタル放送データの伝送装置１の概略構成図である。
【図２】ＣＡＴＶ用ＮＩＴが衛星放送用ＮＩＴよりも一ＮＩＴ周期におけるパケット数が小さい場合のＮＩＴパケットの置き換え動作を説明するためのシーケンス図である。
【図３】ＣＡＴＶ用ＮＩＴが衛星放送用ＮＩＴよりもパケット数が多い場合のＮＩＴの置き換え動作を説明するためのシーケンス図である。
【図４】ＣＡＴＶ用ＮＩＴが衛星放送用ＮＩＴよりもデータ量が極端に大きい場合のＮＩＴの置き換え動作を説明するためのシーケンス図である。
【図５】本発明の第２の実施形態に係るディジタル放送データの伝送装置１の概略構成図である。
【図６】衛星放送用ＮＩＴパケットを全部ＮＵＬＬパケットに書き換えて、それからＣＡＴＶ用ＮＩＴパケットの内容を書き込む動作を説明するためのシーケンス図である。
【図７】衛星放送用ＮＩＴパケットを直接、ＣＡＴＶ用ＮＩＴのパケットへ置換する伝送装置１の構成図である。
【図８】一般的なＴＳパケットの構造図である。
【図９】ＮＩＴのデータと、ＴＳパケットとの関係を示す図である。
【図１０】ＴＳパケットのＴＰヘッダの詳細図である。
【符号の説明】
１　伝送装置
２　ＮＩＴ置換部
３　ＮＩＴパケット抽出回路
４　ＮＩＴバッファ
５　ＣＡＴＶ用ＮＩＴ変換部
６　ＮＵＬＬパケット検出回路
７　制御部
８　衛星放送用ＮＩＴ／ＮＵＬＬパケットカウンタ
１１　ＮＵＬＬ置換回路
１２　ＮＩＴ周期検出回路
１３　制御部
１４　切換え回路
１５　メモリ
【図１】
2004056214.tif 000003
【図２】
2004056214.tif 000004
【図３】
2004056214.tif 000005
【図４】
2004056214.tif 000006
【図５】
2004056214.tif 000007
【図６】
2004056214.tif 000008
【図７】
2004056214.tif 000009
【図８】
2004056214.tif 000010
【図９】
2004056214.tif 000011
【図１０】
2004056214.tif 000012